(57)【要約】【課題】操作性がよく、蓋と容器本体に設けた係止凹部と係止突起の係止解放も軽い力でスムーズに行うことができるとともに、口部の長さを短くできてコンパクト化を図ることができる蓋付き容器を提供する。【解決手段】この蓋付き容器１は、容器本体３と、該容器本体の口部２に装着される蓋５と、を具えている。容器本体の口部の下部外周面に山部と谷部からなる係止解放用ガイド部が円周方向に交互に連なって複数個設けられ、これらガイド部の山部の外面に係止突起７が設けられている。これらの係止突起と装着時に係止する係止凹部１３が蓋の下部内周面に設けられ、蓋の取外し時に蓋を円周方向に回動し、ガイド部の谷部に沿って山部へ乗り上げさせて蓋を持ち上げ、係止突起と係止凹部の係止を解放する突出部が蓋の下部内周面に設けられている。係止突起７は、ガイド部の山部の外周面における上端と下端の間に設けられている。【選択図】図１
2020164242.tif 000002
【特許請求の範囲】
【請求項１】
容器本体と、該容器本体の口部に装着される蓋と、を具え、
前記容器本体の口部の下部外周面に山部と谷部からなる係止解放用ガイド部が円周方向に交互に連なって複数個設けられ、これらガイド部の山部の外周面に係止突起が設けられ、これら係止突起と装着時に係止する係止凹部が前記蓋の下部内周面に設けられ、前記蓋の取外し時に蓋を円周方向に回動し、前記ガイド部の谷部に沿って山部へ乗り上げさせて蓋を持ち上げ、前記係止突起と係止凹部の係止を解放する突出部が前記蓋の下部内周面に設けられている蓋付き容器であって、
前記係止突起は、前記ガイド部の山部の外周面における上端と下端の間に設けられていることを特徴とする蓋付き容器。
【請求項２】
前記係止凹部は、容器本体の係止突起より円周方向に長く設けられている請求項１に記載の蓋付き容器。
【請求項３】
前記係止凹部は、円周方向の両端部側がテーパ状に形成され、中央部側が両端部側よりも深い凹状に形成されている請求項２に記載の蓋付き容器。
【請求項４】
前記係止凹部は、上縁部から底部に向けて幅狭となる下向きに傾斜したテーパ状に形成されている請求項３に記載の蓋付き容器。
【請求項５】
前記蓋には容器本体の口部と係合する環状の内周壁が設けられている請求項１ないし４のいずれかに記載の蓋付き容器。
【請求項６】
前記容器本体の口部には上端開口部を覆うように頂壁が設けられ、該頂壁には上下に貫通した連通孔が複数個設けられている請求項１ないし５のいずれかに記載の蓋付き容器。
【請求項７】
前記容器本体の底部には底板が着脱可能に装着されている請求項１ないし６のいずれかに記載の蓋付き容器。
【発明の詳細な説明】
【技術分野】
【０００１】
この発明は、蓋付き容器に関し、さらに詳しくはヘアワックス等の油性で固形の化粧品を収納する容器本体の口部を蓋による簡単な操作により開閉することができ、操作性のよい容器の技術に係るものである。
【背景技術】
【０００２】
前記のような蓋付き容器として、例えば特開２０１５−２３１９６６号公報（特許文献１）が提案されている。これは外用製剤を収納した容器本体の口部に開閉可能に装着される蓋部が螺旋状のおねじとめねじによる嵌合になっているため、蓋を開いたり閉めたりするのに蓋部を多く回動する必要があり、操作性がよくなかった。
【０００３】
操作性をよくするためにねじではない方式の容器も特開２０１６−１５９９４４号公報（特許文献２）として提案されている。この容器は、容器本体と、中栓と、外キャップとからなり、中栓を容器本体から取り外すために中栓を回動すると、中栓の内側突出部の下部傾斜面が容器本体の外側傾斜面の上部傾斜面と当接し、内側突出部が外側突出部の波形に沿って上方へ移動するとともに、中栓も上方へ移動して持ち上げられる。これにより、中栓に設けた係合突起が容器本体に設けた係合突起を上方に乗り越え係合を解放する構成を具えたものとなっている。
【０００４】
しかし、この容器の場合、中栓の係合突起と係合する容器本体の係合突起が外側突出部より上方の口部の位置に設けられているため、容器本体の係合突起が環状に設けられていることもあって、内側突出部による持ち上げ力が両係合突起に直に伝わりにくく、係合解放にはそれなりの力を要してスムーズな解放操作が期待できないという問題があった。また、この容器の場合、容器本体の係合突起が外側突出部より上方の口部の位置に設けられるため、必然的に容器本体の口部の軸方向の長さ（高さ）が長くなってしまい、口部の長さを抑えてコンパクト化を図ることができないという問題もあった。
【先行技術文献】
【特許文献】
【０００５】
【特許文献１】特開２０１５−２３１９６６号公報
【特許文献２】特開２０１６−１５９９４４号公報
【発明の概要】
【発明が解決しようとする課題】
【０００６】
そこで、この発明は、前記のような従来の問題点に鑑み、蓋の開閉を迅速かつ簡単に行なうことができ操作性がよく、蓋と容器本体に設けた係止凹部と係止突起の係止解放も軽い力でスムーズに行うことができるとともに、口部の長さを短くできてコンパクト化を図ることができる蓋付き容器を提供することを目的とする。
【課題を解決するための手段】
【０００７】
前記課題を解決するために、請求項１に記載の発明は、容器本体と、該容器本体の口部に装着される蓋と、を具え、前記容器本体の口部の下部外周面に山部と谷部からなる係止解放用ガイド部が円周方向に交互に連なって複数個設けられ、これらガイド部の山部の外周面に係止突起が設けられ、これら係止突起と装着時に係止する係止凹部が前記蓋の下部内周面に設けられ、前記蓋の取外し時に蓋を円周方向に回動し、前記ガイド部の谷部に沿って山部へ乗り上げさせて蓋を持ち上げ、前記係止突起と係止凹部の係止を解放する突出部が前記蓋の下部内周面に設けられている蓋付き容器であって、前記係止突起は、前記ガイド部の山部の外周面における上端と下端の間に設けられていることを特徴とする。
【０００８】
請求項２に記載の発明は、請求項１において、前記係止凹部は、容器本体の係止突起より円周方向に長く設けられている。請求項３に記載の発明は、請求項２において、前記係止凹部は、円周方向の両端部側がテーパ状に形成され、中央部側が両端部側よりも深い凹状に形成されている。請求項４に記載の発明は、請求項３において、前記係止凹部は、上縁部から底部に向けて幅狭となる下向きに傾斜したテーパ状に形成されている。
【０００９】
請求項５に記載の発明は、請求項１ないし４のいずれかにおいて、前記蓋には閉蓋時に容器本体の口部と係合する環状の内周壁が設けられている。
【００１０】
請求項６に記載の発明は、請求項１ないし５のいずれかにおいて、前記容器本体の口部には上端開口部を覆うように頂壁が設けられ、該頂壁には上下に貫通した連通孔が複数個設けられている。請求項７に記載の発明は、請求項１ないし６のいずれかにおいて、前記容器本体の底部には底板が着脱可能に装着されている。
【発明の効果】
【００１１】
この発明は、前記のようであって、請求項１に記載の発明によれば、蓋の係止凹部と係止する容器本体側の係止突起がガイド部の山部の外周面における上端と下端の間に設けられているので、容器本体の口部へ向けて蓋を押し込むだけで蓋の取り付けを迅速かつ簡単に行なうことができ、操作性がよい。また、位置きめをしなくても、同周方向に少し回転することで、突出部がガイド部の谷部に沿って下端に到達して係止突起と係止凹部の係止に導くことが可能となる。蓋の取り外し時においても、蓋を回動しながら引き抜くことにより、突出部がガイド部の谷部に沿って山部へ乗り上げて蓋を持ち上げ、係止突起と係止凹部の係止を解放し、持ち上げ力を直に係止に作用させることが可能なので、従来のものよりも軽い力でスムーズかつ簡単にその係止を解放することができる。また、容器本体の係止突起がガイド部と同一の円周上の位置に設けられるため、口部の長さを短くできてコンパクト化（小型化）を図ることもできる。そのため、容器本体内にその口部まで収納する油性固形の化粧品のような内容物であっても、内容物が折れ易くなるというリスクがなく、安定した収納が可能になる。
【００１２】
請求項２ないし４に記載の発明によれば、係止突起と係止凹部の係止を係止したときには強くし、係止解放するときには弱くすることを可能とすることができ、操作性がよいという効果がある。
【００１３】
請求項５に記載の発明によれば、蓋に設けた環状の内周壁によって容器本体内の口部から蓋内へ充填により収納される化粧品をセパレートする役目をすることができる。請求項６に記載の発明によれば、連通孔を通して充填硬化する化粧品の一体化を図ることができ、化粧品の折損を可及的に少なくすることができる。請求項７に記載の発明によれば、底板によって容器本体の底部を塞ぐことができ、化粧品の品質を経時にわたり一定に保つことができる。
【図面の簡単な説明】
【００１４】
【図１】この発明の一実施の形態で示す蓋付き容器の、全体縦断面図である。
【図２】同上の容器本体の正面図である。
【図３】同上の平面図である。
【図４】同上の底面図である。
【図５】図３のＡ−Ａ線断面図である。
【図６】図５のＢ矢視の拡大図である。
【図７】同上の蓋の正面図である。
【図８】同上の底面図である。
【図９】図８のＣ−Ｃ線断面図である。
【図１０】図９のＤ部拡大断面図である。
【図１１】蓋に設けた係止凹部の拡大断面図である。
【図１２】同上の底板の正面図である。
【図１３】同上の底面図である。
【図１４】変形例を示す容器本体の正面図である。
【図１５】変形例を適用した容器を示し、（Ａ）は容器本体の口部の正面図、（Ｂ）は蓋の断面図である。
【図１６】別の実施の形態で示す蓋付き容器の、容器本体の正面図である。
【図１７】同上の平面図である。
【図１８】図６に相当する拡大図である。
【発明を実施するための形態】
【００１５】
以下、図面を参照しながら、この発明の一実施の形態に係る蓋付き容器について説明する。
【００１６】
図１において、１は合成樹脂製からなる蓋付き容器である。この容器１は、円筒形の口部２を有する容器本体３と、該容器本体の口部２を開閉可能に覆って着脱可能に装着される蓋５と、を具えている。
【００１７】
容器本体３の口部２の下部外周面には図２−６にも示すように水平山部６ａと傾斜谷部６ｂからなる係止解放用ガイド部６が円周方向に所定間隔をおいて複数個設けられている。この例では等間隔で４個設けられている。傾斜谷部６ｂは正面視略Ｖ字状を呈し、その底点を基点として水平線に対する傾斜角度θ°が３０°になっている。また、傾斜谷部６ｂは口部２の下部外周面と接する位置よりその径方向前方へもやや下向きに傾斜して形成されている。図６で６ｂ´はそのテーパ面を示す。
【００１８】
水平山部６ａは隣接する傾斜谷部６ｂの上端間を水平に結ぶように水平に延びる水平面６ａ´を有している。水平山部６ａの外周面には係止突起７が設けられている。係止突起７は円周方向に所定長さ横向きに延び、正面視においてその上縁及び下縁は水平山部６ａの上端及び下端近くに位置している（図２）。すなわち、係止突起７はガイド部６の水平山部６ａの上端と下端の中間高さ位置に設けられている。係止突起７は図２に示すように正面視、両端がやや尖った形状に形成されているとともに、その中心において水平に伸びる線に沿って尖った山形形状に形成されている。この例においては、ガイド部６は容器本体の口部２の外周面の略下半部に径方向の厚みを均等にして設けられている。
【００１９】
容器本体３の口部２の内側には容器本体３の内周壁と環状の隙間８をおいて円筒形の内周壁９が容器本体３の高さの中間位置近くまで一体に垂下されている。この内周壁９の基端となっている口部２の上部にはその上端開口を覆うように頂壁１０が設けられ、該頂壁には中心孔１１のほか、その周りに上下に貫通した連通孔１２が複数個設けられている。内周壁９は平面視真円形であるが、容器本体３は真円形ではなくやや歪となった形状となっている（図３，４）。
【００２０】
蓋５の下端部内周面には図７−１１にも示すように容器本体３の係止突起７と装着時に着脱可能に係止する係止凹部１３が円周方向に所定間隔をおいて複数個設けられている。係止凹部１３は係止突起７と円周方向の対応する位置に配置され、係止突起７と同様に円周方向に所定長さ横向きに延びた形に形成されているが、その円周方向の長さＬ１は係止突起７の長さＬ２より若干長くなっている（図１１，２）。また、係止凹部１３は図１から明らかなように係止突起７が嵌入する大きさの凹みからなっている。特に、図１１に示すように、その円周方向の両端部が底面テーパ面１３ａとなったテーパ状に形成され、そこから中央部側に向けて徐々に深さが深くなる形状になっている。また、係止凹部１３はその上、下縁部が図１０に示すように、係止し合う係止突起７の形状に合うように底部に向けて幅狭となる下向きに傾斜したテーパ面１３ｂに形成され、同様に中央部側に向けて徐々に深さが深くなる形状になっている。
【００２１】
蓋５の係止凹部１３が前記のような構成になっているため、係止突起７が係止凹部１３の中央部側に位置したときは両者の係止は強くなるが、蓋５の回動により係止凹部１３の浅くなった一端部側又は他端部側に移動して位置したときは係止が弱くなり、これにより後記突出部がガイド部６の傾斜谷部６ｂのテーパ面６ｂ´に沿って乗り上げ蓋５を持ち上げるのと相乗して係止解放が容易になる。また、係止凹部１３の上下縁部側にもテーパ面１３ｂがあるので、後記突出部がガイド部６の傾斜谷部６ｂのテーパ面６ｂ´に沿って乗り上げて蓋５を持ち上げる際に浅いテーパ面１３ｂのある側に移動して係止が弱くなり、係止が解放し易くなる。また、装着の際にはテーパ面１３ｂに沿って深いところまで導かれるため、装着動作もスムーズになり、深いところで強く係止される。
【００２２】
蓋５の内周面には、その上端から下端近くに至るまで係止突起７と係止凹部１３の係止を解放する突出部１５が一体に設けられている。突出部１５は、蓋５の取外し時に蓋５を円周方向に回動すると、ガイド部６の傾斜谷部６ｂのテーパ面６ｂ´に沿って乗り上げさせることにより蓋５を持ち上げ、係止突起７と係止凹部１３の係止を解放する機能をもつ。
【００２３】
蓋５の内側には蓋５の内周壁と環状の隙間１６をおいて容器本体３の内周壁とほぼ同径の円筒形の内周壁１７が係止凹部１３の近くまで一体に垂下されており、蓋５を容器本体３に装着したときその下端外面が容器本体３の上端内面に入り込み接触するようになっている（図１）。内周壁１７の外周面と突出部１５は小間隔をおいて対面する位置関係に配置されている（図８）。このような配置にしているので蓋５を容器本体３の口部２から取り外す際に、その外壁を握った際にかかる力が内周壁１７に伝わりにくくして、内周壁１７の変形を抑止できるようになっている。そのため、油性固形タイプの化粧品が内周壁１７に接触した形で収納されていても、化粧品に傷つくことがない。このように蓋５の開閉動作によって収納した化粧品がその側面に傷や欠けることがほとんどなくなるため、化粧品を収納する容器として良好な品質がえられる。内周壁１７は底面視真円形であるが、蓋５は真円形ではなく容器本体３と同様、やや歪となった形状となっている（図８）。蓋５のこのような形状は容器本体３の口部２に取り付けるとその外周面が容器本体３の外周面と面一となり、ピッタリ一致する外観を呈する。
【００２４】
図１において２０は容器本体３の底部に着脱可能に装着された底板である。底板２０は図１２−１３にも示すように上方が開口した円筒部２１を一体に有し、該円筒部の外周面に係止突起２２が円周方向に所定間隔をおいて複数個設設けられている。この例では等間隔で４個設けられている。係止突起２２は容器本体３の周壁の内周面の中間部に環状に設けた係止凹部２３に着脱可能に係止するようになっている。２５は底板２０に穿設した通気孔である。図１において、一点鎖線で示す２７は、充填され硬化した円柱状の化粧品を示す。
【００２５】
蓋付き容器１の製品化に至るまでの組み付け手順について説明する。組み付けに際しては、まず蓋５を容器本体３に装着する。装着するには、蓋５の下端開口側から容器本体３の口部２の上部開口へ向けて押し込むように挿入してやる。すると、蓋５の下端部内周面に設けた係止凹部１３が口部２のガイド部６の外周面に設けた係止突起７に係止する。この際、蓋５の突出部１５の下端がガイド部６の水平山部６ａの水平面６ａ´に当たることがあっても蓋５を円周方向に少し回動すれば突出部１５はガイド部６の水平山部６ａから傾斜谷部６ｂに向けて下降し、係止凹部１３と係止突起７の係止を可能とする。そして、この係止により蓋５の内周壁１７の下端が図１に示すように容器本体３の口部２の上端縁の内側に入り込み接触した状態に組み付けられる。
【００２６】
次に、蓋５が組み付けられた容器本体３を倒立させ、容器本体３の上向きとなった底部開口からワックスなどの化粧品２７を充填する。充填した化粧品２７が硬化した状態になったら底板２０を円筒部２１の上端開口側から容器本体３の底部開口へ押し込んで挿入する。すると、円筒部２１の先が容器本体３の内壁と内周壁９に形成された環状隙間８に入っていき、円筒部２１の外周面にある係止突起２２が容器本体３の係止凹部２３に係止する。この係止により底板２０の円筒部２１の上端が環状隙間８を形成する容器本体３の内側頂壁近くに、また容器本体３の内周壁９の下端が底板２０の底近くに位置するようになる。これにて組み付けが終了する。
【００２７】
組み付けが終了した後、容器本体３を元の正立した位置に戻せば、化粧品２７は図１に示すように容器１内に収納された状態になり、製品として出荷可能となる。なお、化粧品２７の充填、収納に際しては、一例を示したものであり、前記と異なる方法で充填、収納してもよい。
【００２８】
前記のように構成された蓋付き容器１を使用するには、容器本体３から蓋５を取り外すことになるが、その際には蓋５を少し回動させながら容器本体３から離れる方向に引き抜く。これにより、蓋５の突出部１５がガイド部６の傾斜谷部６ｂから水平山部６ａに向けてその傾斜面に沿って動き、この動きに追随するように係止凹部１３と係止突起７との係止が解放されることになる。この際に傾斜谷部６ｂが口部２の下部外周面と接する位置よりその前方へもやや傾斜したテーパ面６ｂ´に形成されているので、係止解放の際に突出部１５のガイドをよりスムーズに行うことが可能である。しかも、係止凹部１３の両端部側にテーパ面１３ａが形成されていて係止突起７との係止が弱いため、係止突起７から軽い力で解放することができる。
【００２９】
蓋５が取り外されると、容器本体３の口部２上には円柱状の化粧品２７が現出するので、容器本体３を手にもって該化粧品を使用者の髪につけて髪の乱れ等を整えることができる。使用後は、再び前記のようにして蓋５を容器本体３に取り付けることになるが、その際には、蓋５を容器本体３の口部２に向けて押し込むように挿入する。これにより、蓋５の突出部１５がガイド部６の傾斜谷部６ｂに入り込みその底部に至るまでの間に係止凹部１３が係止突起７に係止し、閉蓋状態になる。蓋５を容器本体３の口部２に向けて押し込んだ際に、突出部１５がガイド部６の水平山部６ａの水平面６ａ´に当たっても、前記したように蓋５の回動により水平山部６ａの水平面６ａ´から傾斜谷部６ｂへスムーズに動いたうえ入り込み、係止凹部１３が係止突起７に係止する。
【００３０】
前記のように蓋付き容器１にあっては、ガイド部６の水平山部６ａの外周面に係止突起７がガイド部６の上端と下端間の中間高さ位置に水平状に設けられているので、容器本体３の口部２へ向けて蓋５を押し込むだけで係止凹部１３を係止突起７に係止させ、蓋５の取り付けを迅速かつ簡単に行なうことができる。また、蓋５の取り外し時においても、蓋５を回動しながら引くことにより、突出部１５がガイド部６の傾斜谷部６ｂに沿って水平山部６ａへ乗り上げて蓋５を持ち上げ、その持ち上げ力を係止突起７と係止凹部１３の係止に直に作用させることが可能なので、従来のものよりも軽い力でスムーズかつ簡単にその係止を解放し、取り外すことができる。
【００３１】
また、前記の係止において、係止突起７が係止凹部１３の中央部側に位置したときは、係止突起７が係止凹部１３の深い位置で係止し、係止が強くなる一方、蓋５を円周方向に回動して移動させ係止突起７が係止凹部１３の両端部側に位置したときは、係止突起７が係止凹部１３の浅い位置で係止し、弱く係止することとなる。そのため、突出部１５がガイド部６に沿って乗り上げ蓋５を持ち上げるのと相乗して係止凹部１３の係止突起７からの係止解放を容易なものとすることができる。装着に際しても、係止突起７が係止凹部１３のテーパ１３ａ面に沿って深いところまで導かれるようになるため、装着動作もスムーズになり、操作性のよいものとなる。
【００３２】
また、係止解放に際して、係止凹部１３がその両端部側に形成したテーパ面１３ａがあることにより、より軽い力でも係止突起７から解放することができる。しかも、係止凹部１３は垂直方向の上、下縁部にも傾斜するテーパ面１３ｂが設けられているため、係止突起７が係止凹部１３に乗り上げて蓋５を持ち上げる際に浅い部分に移動して係止が弱くなり、係止解放がし易い。
【００３３】
また、容器本体３の係止突起７がガイド部６と同一の円周上の位置に設けられるため、口部２の長さを短くできて容器１のコンパクト化を図ることができる。また、容器本体３内にその口部２から蓋５内まで収納される化粧品２７も、折損するというリスクがなく、安定した状態で収納される。
【００３４】
この実施の形態においては、ガイド部６の山部を水平山部６ａとしているため、容器本体３の口部２の高さを低くすることができるとともに、谷部との傾斜度も緩くすることができる。そのため、突出部１５の動きが滑らかになりガイド部６に沿い易くなる。しかも、水平面６ａ´を利用して、係止突起７を横向きに長くとることができる。また、谷部を傾斜谷部６ｂとしているため、突出部１５との係合の位置決めも容易になる。また、係止突起７を円周方向横向きに設けているため、係止可能な範囲を横に長くとれて、係止を強固にすることができる。
【００３５】
なお、この実施の形態で示した蓋付き容器１は好ましい一例を示したにすぎない。他に図１４にその容器本体の変形例を示すようにガイド部３６の構成を前記水平山部６ａに代えて先端が少し丸みをもって尖った山形形状からなる山部３６ａとしてもよい。すなわち、水平山部６ａを中間部で二つに分割して間に空域を設け、山部３６ａを形成したものである。３６ｂは谷部である。また、前記係止突起７についてもこれに代えて図示したような丸形の係止突起３７を二つ配置した形としてもよい。このような構成においても前記と同様な作用効果を期待することができる。
【００３６】
図１５は、液状化粧品をポンプで吐出する容器に前記変形例を適用した例を示すものである。容器本体の口部の外周面にガイド部３６が設けられ、該ガイド部の山部３６ａの外周面における上端と下端の間に球状の係止突起３７が設けられている。また、蓋３５の下端部の内周面にはガイド部３６に摺接可能で、先端が少し丸みをもって尖った山形形状からなる突出部４５が設けられ、その上方には係止突起３７が係止する環状の係止凹部４６が設けられている。
【００３７】
図１６−１８は、別の実施の形態を示す。この実施の形態において前記実施の形態と相違する点は、係止解放用ガイド部の構成であり、それ以外の構成は同様な構成となっている。そのため、同様の構成部分には同一符号に５０をプラスした数字を付して説明を省略し、相違する構成について説明する。
【００３８】
図１６において５６はガイド部で、このガイド部は水平山部５６ａと傾斜谷部５６ｂの境に段差５８が設けられている。段差５８は水平山部５６ａの水平面５６ａ´から下方に垂直に延びる垂直壁５８ａと、該壁の下端から傾斜谷部５６ｂ側に直角に延びる水平壁５８ｂとによりＬ字状に形成されている。図１８において５８ｂ´は水平壁５８ｂの水平面であり、傾斜谷部５６ｂから水平山部５６ａまでの間で水平山部５６ａの一部としての短い階段状の一段目を形成する。また、５６ｂ´は傾斜谷部５６ｂのテーパ面である。
【００３９】
図１８に示すように、段差５８を形成する水平壁５８ｂの水平面５８ｂ´からガイド部５６の下端縁までの高さｔは、水平山部５６ａの高さＴの半分程度となっている。この高さｔは、容器本体５３の係止突起５７と蓋５の係止凹部１３との係止を解放するのに必要な最小高さとして設定されており、少しの回動で蓋５を外し易くするために、この例では蓋５を開けたとき段差部分に蓋５の突出部１５が到達したときの蓋５の開き具合から１．５ｍｍとしている。その結果として傾斜谷部５６ｂの深さは、前記実施の形態の傾斜谷部６ｂの深さの半分程度になっている。また、段差５８を形成する垂直壁５８ａの形成位置は、傾斜谷部５６ｂのテーパ面５６ｂ´の上縁と係止突起５７の傾斜谷部５６ｂ側の一端縁のほぼ中間付近に位置するようになっている。
【００４０】
前記のようにガイド部５６に段差５８を設けた構成にすると、水平壁５８ｂの水平面５８ｂ´からガイド部５６の下端縁までの高さｔが低くなり、開蓋時に容器本体５３の係止突起５７と蓋５の係止凹部１３との係止を解放するときの蓋５の回動を少なくすることが可能となるため、容器本体５３の底部開口より充填し固化させ蓋５の内周壁１７内に接触して収容されている油性固形タイプのステック状化粧品２７に与える影響はほとんどない。
【００４１】
一般に、この種の蓋付き容器における開蓋時には蓋５を比較的長く（多く）回動する。そのため、引っ張り力（ねじれる力）がステック状化粧品２７の蓋５の内周壁１７から離間しない部分に多くかかって化粧品が折れたり、ちぎれたりすることがある。しかし、この実施の形態のようにガイド部５６に段差５８を設けた構成においては、蓋５の内周壁１７と化粧品を離す初期の回動方向への動きを短く（少なく）して離れたところで上方向に揚げるようにしているので、ステック状化粧品２７が折れたり、ちぎれたりすることがない。つまり、容器本体５３の口部５２に設けた傾斜谷部５６ｂから少し立ち上がったところに一段目として設けられた段差の水平壁５８ｂがあるため、蓋５を回動させると、水平壁５８ｂ上へテーパ面５６ｂ´から乗り上がって一段目で回動方向への動きを止め、次に上方向への動きに変換させる。そのため、前記のような不具合が生ずことがない。
【００４２】
前記のように、この実施の形態によれば、蓋５を回動して容器本体５３の口部５２から取り外す際に蓋５から離間しない部分があるステック状化粧品２７が蓋５に引っ張られ、容器本体５３の頂壁付近で折れたり、ちぎれたりする不具合を生ずることがないという効果を期待することができる。
【００４３】
なお、この発明の前記各実施の形態は、好ましい実施の形態を示すものであり、これ以外の実施の形態を排除するものではない。また、図示はしていないが、この発明は容器本体と蓋の間に中栓を有する構成の容器にも適用することが可能である。また、容器本体３，５３の口部２，５２に設けられるガイド部や係止突起の構成、蓋５に設けられる係止凹部の構成は、あくまでも一例にすぎず、特許請求の範囲に記載した範囲内でその細部の構成は実施に際して適宜にその設計を変更できることは言うまでもない。
【符号の説明】
【００４４】
１  蓋付き容器
２  口部
３  容器本体
５  蓋
６  係止解放用ガイド部
６ａ  水平山部
６ｂ  傾斜谷部
７  係止突起
８，１６  環状の隙間
９，１７  内周壁
１０  頂壁
１１  中心孔
１２  連通孔
１３  係止凹部
１３ａ，１３ｂ  テーパ面
１５  突出部
２０  底板
２１  円筒部
２２  係止突起
２３  係止凹部
２５  通気孔
２７  化粧品
【図１】
2020164242.tif 000003
【図２】
2020164242.tif 000004
【図３】
2020164242.tif 000005
【図４】
2020164242.tif 000006
【図５】
2020164242.tif 000007
【図６】
2020164242.tif 000008
【図７】
2020164242.tif 000009
【図８】
2020164242.tif 000010
【図９】
2020164242.tif 000011
【図１０】
2020164242.tif 000012
【図１１】
2020164242.tif 000013
【図１２】
2020164242.tif 000014
【図１３】
2020164242.tif 000015
【図１４】
2020164242.tif 000016
【図１５】
2020164242.tif 000017
【図１６】
2020164242.tif 000018
【図１７】
2020164242.tif 000019
【図１８】
2020164242.tif 000020